(57)【特許請求の範囲】
【請求項１】
軸筒内にシャープペンシル体を含む複数の筆記体を配設し、軸筒後端部に、軸心方向に沿って延びる外部に開口した摺動孔を径方向に区画してなる摺動ケースを、摺動ケースに形成した凸部と、軸筒後端部に形成した凹部を係合して付設し、各筆記体の後部に連接した摺動体を、該摺動体に形成した隆起部を各摺動孔より外方に突出させて、摺動孔に摺動自在に収納してなり、前記摺動体を軸筒先端方向にスライドすることにより、摺動体の後端部に形成した係合突起を摺動ケースに形成した止め部に係止して筆記体の突出状態を維持するとともに、シャープペンシル体が突出した際は、摺動ケースを軸筒先端方向に押圧することにより、シャープペンシル体の鉛芯繰出機構を作動させて、鉛芯を繰出し可能としたシャープペンシル体を含むスライド式の複合筆記具において、前記摺動孔の一部に開口を閉鎖するブリッジ部を形成し、該ブリッジ部に前記凸部を形成したことを特徴とするシャープペンシル体を含むスライド式の複合筆記具。
【請求項２】
前記シャープペンシル体を収納した摺動孔の一部にブリッジ部を形成したことを特徴とする請求項１に記載のシャープペンシル体を含むスライド式の複合筆記具。
【請求項３】
前記ブリッジ部を形成する摺動孔に摺動自在に配設する摺動体が、クリップ部材であることを特徴とする請求項１又は２に記載のシャープペンシル体を含むスライド式の複合筆記具。
【発明の詳細な説明】
【０００１】
【発明の属する技術分野】
本発明は、軸筒内に、複数の筆記体を配設してなるシャープペンシル体を含むスライド式の複合筆記具に関する。
【０００２】
【従来技術】
従来から、スライド式の複合筆記具として、図１、２に示すように、コイルスプリング９により、軸筒後端方向に付勢した一方の摺動体４を軸筒先端２ａ方向にスライドすることにより、摺動体４の後端部に形成した係合突起４ｂを摺動ケース１２に形成した止め部１２ａに係止して、ボールペン体６の筆記先端部６ａを軸筒先端２ａ開口部から突出することができ、他方のコイルスプリング１０により軸筒後端方向に付勢した他方の摺動体５の隆起部５ａを軸筒先端２ａ方向に前進せしめることで、止め部１２ａに係止していた係合突起４ｂを他方の解除突起５ｃが解除し、さらに他方の摺動体５を前進することにより他方の係合突起５ｂが止め部１２ａに係止して突出状態を維持することのできる、筆記先端部を選択して操り出し可能な繰り出し機構を有するとともに、シャープペンシル体７の突出した際は、コイルスプリング８により軸筒後端方向に付勢した樹脂製の摺動ケース１２を軸筒先端方向に押圧することにより、シャープペンシル体７の鉛芯繰出機構（図示せず）を作動させ、鉛芯を繰出し可能なシャープペンシル体７を含むスライド式の複合筆記具は知られている。
【０００３】
また、前述した従来のシャープペンシル体を含むスライド式の複合筆記具において、クリップを摺動可能に配設し、筆記体の後端部にクリップを連接して、クリップをスライドすることによりクリップと連接した筆記体の筆記先端部を出没可能とした構造もよく知られている。こうしたシャープペンシル体を含むスライド式複合筆記具においては、軸筒後端部に摺動ケースの付設方法は、摺動ケースに形成した凸部または凹部と、軸筒後端部に形成した凹部または凸部を係合して付設している。
【０００４】
【発明が解決しようとする課題】
ところで、樹脂製の摺動ケースは、経時や環境により形状が変化することがあり、前記摺動孔が狭まることがあった。摺動孔が狭くなると、繰出作動時の摺動体の摺動がスムーズでなくなってしまう。特に複合筆記具にシャープペンシル体を含む場合には、シャープペンシル体を後端方向に付勢するコイルスプリングは、鉛芯の折れ防止のため、ボールペン体に比べスプリングの設定荷重を低く設定しているので、シャープペンシル体の軸筒後端方向への付勢力も小さい。そのため、摺動孔が狭くなりコイルスプリングが摺動孔に接触してしまうと、突出した状態から解除されても元の位置に戻り難いという問題があった。
【０００５】
本発明の目的は、経時や環境による摺動孔の幅の変化に対して、筆記体の筆記先端部の繰出作動時における摺動体の摺動がスムーズな、摺動ケースを付設したシャープペンシル体を含むスライド式の複合筆記具を提供することである。
【０００６】
【課題を解決するための手段】
本発明は、方向に沿って延びる外部に開口した摺動孔を径方向に区画してなる摺動ケースを、摺動ケースに形成した凸部と、軸筒後端部に形成した凹部を係合して付設し、各筆記体の後部に連接した摺動体を、該摺動体に形成した隆起部を各摺動孔より外方に突出させて、摺動孔に摺動自在に収納してなり、前記摺動体を軸筒先端方向にスライドすることにより、摺動体の後端部に形成した係合突起を摺動ケースに形成した止め部に係止して筆記体の突出状態を維持するとともに、シャープペンシル体が突出した際は、摺動ケースを軸筒先端方向に押圧することにより、シャープペンシル体の鉛芯繰出機構を作動させて、鉛芯を繰出し可能としたシャープペンシル体を含むスライド式の複合筆記具において、前記摺動孔の一部に開口を閉鎖するブリッジ部を形成し、該ブリッジ部に前記凸部を形成したことを特徴とする。
【０００７】
また、前記シャープペンシル体を収納した摺動孔の一部にブリッジ部を形成したことを特徴とする。
【０００８】
また、前記ブリッジ部を形成する摺動孔に摺動自在に配設する摺動体が、クリップ部材であることを特徴とする。
【０００９】
本発明における鉛芯繰出機構とは、シャープペンシルにおいて一般的に知られているチャック等の機構のことである。
【００１０】
【発明の実施の形態】
以下、図面を参照して本発明の実施の形態を説明する。尚、図面中同じ部材、同じ部品については同じ番号を付してある。
図１から図６に示す、シャープペンシル体を含む複合筆記具１は、前軸２と後軸３を螺合させ、さらに後軸３の後端に付設した摺動ケース１２に、径方向で区画した外部に開口した摺動孔１３を形成し、各摺動孔１３に、第１のコイルスプリング１０をバネ受け１１に当接させ、インキ色の異なるボールペン体６を３本及びシャープペンシル体７を後方に付勢させ摺動可能に配設し、各筆記体の後端に取り付けられている摺動体４，５の隆起部４ａ，５ａを摺動孔１３より突出した状態で収納し、摺動体の一方の隆起部４ａを軸筒先端２ａ方向に前進せしめることで、摺動体４の後端部の係合突起４ｂが軸筒内に形成した止め部１２ａに係止して、ボールペン体６のチップ先端部６ａを軸筒先端２ａ開口部から選択して突出することができ、他方の隆起部５ａ（クリップ部材）を軸筒先端２ａ方向に前進せしめることで、一方の止め部１２ａに係止していた係合突起４ｂを他方の解除突起５ｃが解除し、さらにクリップ部材５ａを前進することにより他方の係合突起５ｂが被止め部１２ａに係止して、シャープペンシル体の筆記先端部７ａの突出状態を維持することができ、シャープペンシル体の筆記先端部７ａを突出した状態で、摺動ケース１２を軸筒先端２ａ方向に押圧することにより、シャープペンシル体の鉛芯繰出装置（図示せず）が作動させて鉛芯を繰出すことができる、一般的に知られているシャープペンシル体を含むスライド式の複合筆記具１である。
【００１１】
前記した複合筆記具１は、摺動体５を連接したシャープペンシル体７を、摺動ケース１２に形成した摺動孔１３に収納し、次にコイルスプリング１０をシャープペンシル体７に嵌挿させ、コイルスプリング受部材１１を摺動ケースに装着することによりシャープペンシル体を軸筒後端方向に付勢させて収納する。ボールペン体６についても同様にコイルスプリング８により後端方向に付勢して摺動ケース１２に収納する。また後軸３に、後軸３に形成した段部により軸筒先端方向への移動を防止したコイルスプリング８を配設する。その後、前記シャープペンシル体７、コイルスプリング１０、コイル受部材１１を配設した摺動ケース１２の摺動溝１３の開口を閉鎖するブリッジ部１４に形成した凸部１５を、後軸３の係合孔１６（凹部）に嵌合させ付設し、さらに摺動ケース１２を付設した後軸３に前軸２を螺合して作製する。
【００１２】
摺動孔に形成するブリッジ部１４は、各摺動孔に各々形成することが好ましいが、前述したように、シャープペンシル体７を軸筒後端方向に付勢するコイルスプリング１０の設定荷重はボールペン体６のコイルスプリング９に比べ低い設定なので、少なくともシャープペンシル体７の摺動孔１３に形成することが好ましい。このブリッジ部を形成することにより、経時や環境による摺動孔の幅の変化が生じないのでスムーズな繰出し作動が可能である。
【００１３】
また、ブリッジ部１４を形成する摺動孔１３に配設する摺動体５に、クリップ部材５ａを連接することにより、前記摺動孔１３に形成するブリッジ部１４及び凸部１５は、外部から視認し難いので外観上の見栄えを悪くすることがない。
【００１４】
また、本発明のシャープペンシル体を含むスライド式の複合筆記具は、前述したシャープペンシル体を１本とボールペン体を３本の複合筆記具に限定されるものではなく、少なくともシャープペンシル体を１本含む複数の筆記体を適宜選択することができる。また、ボールペン体６と摺動体４およびシャープペンシル体７と摺動体５との連結方法は、摺動体の前方に形成した連接部（図示せず）をボールペン体６またはシャープペンシル体７の後端開口部（図示せず）に圧入装着した構造等、従来から知られている筆記体に摺動体を連接する方法を適宜選択すればよい。
【００１５】
【発明の効果】
以上の通り、本発明によるシャープペンシル体を含む複合筆記具は、経時や環境による摺動孔の幅の変化に対して、筆記体の筆記先端部の繰出作動時における摺動体の摺動がスムーズな、摺動ケースを付設したシャープペンシル体を含むスライド式の複合筆記具を提供することができた。
【図面の簡単な説明】
【図１】  本発明の第一の実施例における複合筆記具を示す縦断面図である。
【図２】  図１におけるシャープペンシル体を突出した状態を示す縦断面図である。
【図３】  図１におけるコイルスプリングの配設状態を示す要部拡大断面図である。
【図４】  摺動ケースを示す図である。
【図５】  図４における断面図である。
【図６】  図１における一部省略したＡ−Ａ要部拡大断面図である。
【符号の説明】
１  複合筆記具
２  軸筒
２ａ  軸筒先端
３  後軸
４，５  摺動体
６  ボールペン体
７  シャープペンシル体
８  コイルスプリング
９，１０  コイルスプリング
１２  摺動ケース
１３  摺動孔
１４  ブリッジ部
１５  凸部
１６  凹部
【図１】
0003767888.tif 000002
【図２】
0003767888.tif 000003
【図３】
0003767888.tif 000004
【図４】
0003767888.tif 000005
【図５】
0003767888.tif 000006
【図６】
0003767888.tif 000007